(57)【要約】【課題】遊技者に興趣を高める演出を行う。【解決手段】ベースとなる支持板に取り付けられ、遊技状況に応じて駆動する駆動手段を有する駆動機構によって動作する可動役物装置を備えた遊技機であって、可動役物装置は、同一面内で組み合わされることで１のデザインを構成する第１前方装飾部材及び第２前方装飾部材と、第１前方装飾部材及び第２前方装飾部材の後方に配設され第１前方装飾部材及び第２前方装飾部材を離隔させた際にその間から出現する後方装飾部材と、を有し、駆動機構は、駆動手段の駆動力を第１前方装飾部材に伝達し、組み合わせた状態の第１前方装飾部材及び第２前方装飾部材並びにその後方の後方装飾部材を初期位置から一体的に軸動させて出現準備位置に移動させた後に、第１前方装飾部材及び第２前方装飾部材をその先端側がそれぞれ離隔するように軸動させて出現位置まで移動させるように構成した。【選択図】図１２
2015039517.tif 000002
【特許請求の範囲】
【請求項１】
ベースとなる支持板に取り付けられ、遊技状況に応じて駆動する駆動手段を有する駆動機構によって動作する可動役物装置を備えた遊技機であって、
前記可動役物装置は、同一面内で組み合わされることで１のデザインを構成する第１前方装飾部材及び第２前方装飾部材と、該第１前方装飾部材及び第２前方装飾部材の後方に配設され第１前方装飾部材及び第２前方装飾部材を離隔させた際にその間から出現する後方装飾部材と、を有し、
前記第１前方装飾部材及び第２前方装飾部材は、その基端側に設けた各第１軸支部で該後方装飾部材に対して所定範囲内でのみ回動が自在となるように後方装飾部材に軸支され、かつ、第１前方装飾部材及び第２前方装飾部材の隣接する該第１軸支部に互いに噛合するように設けられたギア部を備え、
前記後方装飾部材は、その一端側に設けた第２軸支部で前記支持板に対して所定範囲内でのみ軸動が自在となるように支持板に軸支され、
前記駆動機構は、前記駆動手段の駆動力を前記第１前方装飾部材に伝達し、組み合わせた状態の前記第１前方装飾部材及び第２前方装飾部材並びにその後方の後方装飾部材を初期位置から一体的に軸動させて出現準備位置に移動させた後に、第１前方装飾部材及び第２前方装飾部材をその先端側がそれぞれ離隔するように軸動させて出現位置まで移動させる、ことを特徴とする遊技機。
【請求項２】
前記駆動機構は、前記支持板の後方に配設され前記駆動手段を有する駆動部と、支持板の前方、かつ、前記後方装飾部材の後方において後方装飾部材を軸支する回動支軸により軸支され、駆動部の駆動力を前記第１前方装飾部材に伝達する作動部材と、第１前方装飾部材と後方装飾部材とを連結し、これらが連動するように付勢する作動バネと、を有し、
前記支持板には、前記後方装飾部の軸動角度を制限するガイド孔が形成され、
前記後方装飾部材には該ガイド孔に挿入されるガイド突起が、前記第１前方装飾部材には前記作動部材に当接する作動突起が、それぞれ後方に突出するように形成されており
前記作動部材により前記第１前方装飾部材の前記作動突起を押圧して前記第１前方装飾部材及び第２前方装飾部材並びに後方装飾部材を軸動させて、前記初期位置から後方装飾部材の軸動が制限される出現準備位置まで移動させ、さらに前記作動バネの付勢力に反して第１前方装飾部材の作動突起を押圧して第１前方装飾部材を軸動させて、第１前方装飾部材及び第２前方装飾部材を後方装飾部材が出現する出現位置まで移動させる、ことを特徴とする請求項１に記載の遊技機。
【請求項３】
前記作動部材は、前記第１前方装飾部材の前記作動突起を押圧する第１押圧面に連続して形成された前記回動支軸を中心とする正面視円弧状の係止面を有しており、
前記出現準備位置から前記出現位置に移動する際に、該第１前方装飾部材の該作動突起は、該第１押圧面から該係止面に当接するように移動し、出現位置において、該回動支軸と、作動突起と、作動部材及び作動突起の接点とを正面視略同一直線上に位置させて、前記作動バネの付勢力により第１前方装飾部材が軸動しないようにロックする第１のロック機構を有する、ことを特徴とする請求項２に記載の遊技機。
【請求項４】
前記後方装飾部材には、前記作動部材に当接する逆動突起が後方に突出するように形成され、
前記作動部材は、該逆動突起を押圧する第２押圧面を有し、
前記第１装飾部材の前記作動突起を押圧する方向と逆方向に該作動部材を軸動させることによって、前記作動バネの付勢力及び前記ギア部により前記第１前方装飾部材及び第２前方装飾部材を前記出現位置から前記出現準備位置に移動させ、さらに該作動部材を該逆方向に軸動させることによって、前記第２押圧面により前記後方装飾部材の前記逆動突起を押圧して、第１前方装飾部材及び第２前方装飾部材並びに後方装飾部材を前記初期位置まで移動させる、ことを特徴とする請求項２又は３に記載の遊技機。
【請求項５】
前記駆動部は、前記駆動手段の駆動力を出力する出力軸と、該出力軸に連結されるクランクと、一端側が該クランクに回動可能に連結され、他端側が前記作動部材に回動可能に連結される駆動力伝達アームと、前記後方装飾部材を前記初期位置から前記出現準備位置に軸動させるように付勢する補助バネと、を有し、
前記初期位置において、前記出力軸と、前記クランク及び前記駆動力伝達アームの連結部と、該駆動力伝達アーム及び前記作動部材の連結部とを正面視略同一直線上に位置させて、前記補助バネの付勢力により前記後方装飾部材が軸動しないようにロックする第２のロック機構を有する、ことを特徴とする請求項２乃至４のいずれか１つに記載の遊技機。
【発明の詳細な説明】
【技術分野】
【０００１】
本発明は、スロットマシン、パチンコあるいはパロット等の遊技機に関する。
【背景技術】
【０００２】
近年、遊技機の一種であるスロットマシン、パチンコ遊技機等には、駆動手段により駆動される可動役物が設けられている。遊技状況に応じて可動役物を動作させて様々な演出を行うことにより遊技者の遊技の興趣を向上させている。
【０００３】
例えば、特許文献１の特開２０１３−４２９９２号「遊技機」においては、装飾部材を退避位置と進出位置とに亙って移動させる駆動機構を有し、装飾部材が退避位置にあるときに、外力により装飾部材が退避位置から進出位置の方へ移動することを防止するできる遊技機が提案されている。
【先行技術文献】
【特許文献】
【０００４】
【特許文献１】特開２０１３−４２９９２号公報
【発明の概要】
【発明が解決しようとする課題】
【０００５】
しかしながら、装飾部材を退避位置と進出位置とに亙って移動させるものであり、演出が単純であるという問題を有していた。
【０００６】
本発明は、上述した問題を解決するために創案されたものである。すなわち本発明の目的は、遊技状況に応じて駆動する駆動手段によって、同一面内で組み合わされることで１のデザインを構成し、かつ、後方に配設された後方装飾部材を隠す第１前方装飾部材及び第２前方装飾部材を、後方装飾部材と一体的に軸動させた後に、第１前方装飾部材及び第２前方装飾部材をその先端側が離隔するように軸動させてその間から後方装飾部材が出現するように動作する可動役物装置を備えた遊技機を提供することにある。
【０００７】
本発明の遊技機は、ベースとなる支持板に取り付けられ、遊技状況に応じて駆動する駆動手段を有する駆動機構によって動作する可動役物装置を備えた遊技機であって、前記可動役物装置は、同一面内で組み合わされることで１のデザインを構成する第１前方装飾部材及び第２前方装飾部材と、該第１前方装飾部材及び第２前方装飾部材の後方に配設され第１前方装飾部材及び第２前方装飾部材を離隔させた際にその間から出現する後方装飾部材と、を有し、前記第１前方装飾部材及び第２前方装飾部材は、その基端側に設けた各第１軸支部で該後方装飾部材に対して所定範囲内でのみ回動が自在となるように後方装飾部材に軸支され、かつ、第１前方装飾部材及び第２前方装飾部材の隣接する該第１軸支部に互いに噛合するように設けられたギア部を備え、前記後方装飾部材は、その一端側に設けた第２軸支部で前記支持板に対して所定範囲内でのみ軸動が自在となるように支持板に軸支され、前記駆動機構は、前記駆動手段の駆動力を前記第１前方装飾部材に伝達し、組み合わせた状態の前記第１前方装飾部材及び第２前方装飾部材並びにその後方の後方装飾部材を初期位置から一体的に軸動させて出現準備位置に移動させた後に、第１前方装飾部材及び第２前方装飾部材をその先端側がそれぞれ離隔するように軸動させて出現位置まで移動させる、ことを特徴とする。
【発明の効果】
【０００８】
本発明の遊技機によれば、第１前方装飾部材及び第２前方装飾部材並びに後方装飾部材に複数の動作を行わせて、インパクトのある演出を行うことにより遊技者の興趣を高めることができる。
【図面の簡単な説明】
【０００９】
【図１】スロットマシンの正面図である。
【図２】前面扉を閉じた状態を示すスロットマシンの斜視図である。
【図３】前面扉を開いた状態を示すスロットマシンの斜視図である。
【図４】前面扉の背面図である。
【図５】筐体内部の正面図である。
【図６】各リールを構成する帯状のリールテープの展開図である。
【図７】セレクタの正面図である。
【図８】３枚賭け専用スロットマシンの正面図である。
【図９】スロットマシンの電気的構成を示すブロック図である。
【図１０】可動役物装置の正面図である。
【図１１】可動役物装置の背面図である。
【図１２】可動役物装置の大まかな構成を説明する分解斜視図である。
【図１３】可動役物装置の一部の詳細な構成を説明する分解斜視図であり、正面側斜め上方から視認した状態を示す。
【図１４】可動役物装置の一部の詳細な構成を説明する分解斜視図であり、正面側斜め上方から視認した状態を示す。
【図１５】可動役物装置の一部の詳細な構成を説明する分解斜視図であり、背面側斜め上方から視認した状態を示す。
【図１６】可動役物装置の一部の詳細な構成を説明する分解斜視図であり、背面側斜め上方から視認した状態を示す。
【図１７】支持板の前面側に配設される部材の構成を説明するための背面図である。
【図１８】ギア部の拡大斜視図である。
【図１９】作動部材を示し、（ａ）は拡大斜視図、（ｂ）は正面図である。
【図２０】前方可動部及び後方可動部が初期位置にある状態を示す正面図である。
【図２１】前方可動部及び後方可動部が出現準備位置にある状態を示す正面図である。
【図２２】前方可動部及び後方可動部が出現準備位置から出現位置に移動する途中の状態を示す正面図である。
【図２３】前方可動部及び後方可動部が出現位置にある状態を示す正面図である。
【００１０】
以下、遊技機の一種であるスロットマシンの基本構成の形態について図面に基づいて説明し、その後、本発明の遊技機の技術的特徴部分である可動役物装置をスロットマシンに適用した場合の一実施形態を詳細に説明する。
【００１１】
図１はスロットマシンの正面図、図２はスロットマシンの前面扉を閉じた状態の斜視図、図３はスロットマシンの前面扉を開いた状態の斜視図、図４は前面扉の背面図、図５は筐体内部の正面図である。なお、以下、スロットマシンの説明において、前面扉が配置されている側を前面側又は前方、その反対側を背面側又は後方とし、上下左右の方向については、基本的に島設備に設置したスロットマシンを、前面扉に対向して視認した状態を基準として表現する。
【００１２】
図１〜図５に示すように、スロットマシン１０は、その外殻を形成する筐体１１を備えている。筐体１１は、図３及び図５に示すように、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。
以上のように構成された筐体１１は、遊技ホールへの設置の際にいわゆる島設備に対し釘を打ち付ける等して取り付けられる。
【００１３】
筐体１１の前面側には、前面開閉扉としての前面扉１２が開閉可能に取り付けられている。すなわち、筐体１１の左側板１１ｄには、図５に示すように、上下一対の支軸２５ａ，２５ｂが設けられている。支軸２５ａ，２５ｂは上方に向けて突出された先細り形状の軸部を備えている。一方、前面扉１２には、図４に示すように、各支軸２５ａ，２５ｂに対応して当該支軸２５ａ，２５ｂの軸部が挿入される挿入孔を備えた支持金具２６ａ，２６ｂが設けられている。そして、各支軸２５ａ，２５ｂの上方に支持金具２６ａ，２６ｂを配置させた上で前面扉１２を降下させることにより、支持金具２６ａ，２６ｂの挿入孔に支軸２５ａ，２５ｂの軸部が挿入された状態とされる。これにより、前面扉１２は筐体１１に対して両支軸２５ａ，２５ｂを結ぶ上下方向へ延びる開閉軸線を中心として回動可能に支持され、その回動によって筐体１１の前面開放側を開放したり閉鎖したりすることができるように構成されている。
【００１４】
前面扉１２は、その裏面に設けられた施錠装置によって開放不能な施錠状態とされる。また、図１に示すように、前面扉１２の右端側上部には解錠操作部たるキーシリンダ２０が設けられている。キーシリンダ２０は施錠装置と一体化されており、キーシリンダ２０に対する所定のキー操作によって前記施錠状態が解除されるように構成されている。そこで、施錠装置を含むロック機構について概略を説明する。
【００１５】
前面扉１２の右端側、すなわち前面扉１２の開閉軸の反対側には、その裏面に施錠装置が設けられている。施錠装置は、図１、図３及び図４に示すように、上下方向に延び前面扉１２に固定された基枠と、基枠の上部から前面扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前面扉１２の前方に突出した状態で設けられている。キーシリンダ２０が設けられる位置は前面扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。
【００１６】
連動杆２１は、キーシリンダ２０に差し込んだキーを時計回りに操作することで下方へ移動される。連動杆２１には、鉤形状をなす上下一対の鉤金具２２が設けられており、筐体１１に対して前面扉１２を閉鎖した際には、鉤金具２２が筐体１１側の係止金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と係止金具２３との係止状態が解除され、筐体１１に対する前面扉１２の施錠状態が解除される。
【００１７】
前面扉１２の中央部上寄りには、図１及び図２に示すように、遊技者に遊技状態を報知する表示パネル３０が設けられている。表示パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。さらに表示パネル３０の左右には裏面側から照らされて明るく表示されることで、遊技者の興趣を向上させる演出等を行うための絵柄等が描かれている。
【００１８】
この表示パネル３０の裏面には、表示パネルの各表示窓３１Ｌ，３１Ｍ，３１Ｒから後述するリールの絵柄を視認することができるよう、その中央部が開口するほぼ矩形枠形のパネルユニット２０１が固定されている（図３、図４参照）。
【００１９】
表示パネルの裏面側にはランプ、７セグメント表示、ＬＥＤ、液晶表示等を行う各種表示装置が配置されており、各種表示装置のほとんどは、各々所定のプリント基板（表示パネル用基盤）上にＬＥＤ（光源）等が一体的に取り付けられて形成されている。そして各種表示装置を配したプリント基板が枠体に固定されることで各種表示装置が表示パネルの裏面に配置されてパネルユニット（裏面側部材）が構成される。
【００２０】
図３に示すように、筐体１１は分割横板４０によりその内部が上下２分割されており、分割横板４０の上部には、可変表示手段を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状に構成されていればよく、円筒状（円環状）に限定されるものではない。
【００２１】
各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００２２】
これら各リール４２Ｌ，４２Ｍ，４２Ｒは、それぞれがモータプレート（図示せず）に固定されたリール駆動モータ（ステッピングモータ）６１Ｌ，６１Ｍ，６１Ｒ（図９参照）に連結されており、各リール駆動モータの駆動により各リール４２Ｌ，４２Ｍ，４２Ｒが個別に、即ちそれぞれ独立して回転駆動し得る構成となっている。
【００２３】
各リール４２Ｌ，４２Ｍ，４２Ｒは、円筒状の枠体を形成するリール枠（図示せず）と、その外周面において無端状に巻かれた帯状のリールテープとを備えている。そして、その巻かれた状態を維持するように、リールテープの長辺両側に沿って形成された一対のシール部を介してリール枠に貼付されている。前記リールテープの外周面には、識別情報としての絵柄が等間隔ごとに多数印刷されている。
【００２４】
また、リールユニット４１には、リールインデックスセンサ５５Ｌ，５５Ｍ，５５Ｒ（図９参照）が設置されている。各リールインデックスセンサ５５Ｌ，５５Ｍ，５５Ｒとしては、例えば、発光素子と受光素子とが所定間隔をおいて保持された透過型フォトセンサ等を採用することができる。そして、各リールインデックスセンサ５５Ｌ，５５Ｍ，５５Ｒは、各リール４２Ｌ，４２Ｍ，４２Ｒがほぼ１周するごとに図示しないセンサカットバンが両素子間を通過するのを検出し、その都度、後述する主制御装置１３１に対し検出信号を出力する。主制御装置１３１（図９参照）は、この検出信号に基づいて各リール４２Ｌ，４２Ｍ，４２Ｒの回転位置をほぼ１周するごとに確認し補正できる。
【００２５】
例えば、本実施形態では、各リール４２Ｌ，４２Ｍ，４２Ｒの各リールテープ上には、その長辺方向（周回方向）に複数個、具体的には２１個の絵柄が描かれ、ステッピングモータ６１Ｌ，６１Ｍ，６１Ｒは５０４パルスの駆動信号（励磁信号あるいは励磁パルスとも言う。以下同じ）を与えることにより１回転されるように設定されている。従って、所定の位置においてある絵柄から次の絵柄へ切り替えるにはリール駆動モータ６１Ｌ，６１Ｍ，６１Ｒが２４パルス（＝５０４パルス÷２１絵柄）を生成する。そのためリールインデックスセンサ５５Ｌ，５５Ｍ，５５Ｒ（図９参照）の検出信号が出力された時点からのパルス数により、どの絵柄が表示窓３１（３１Ｌ，３１Ｍ，３１Ｒ）から視認可能な状態となっているかを認識したり、任意の絵柄をリール表示窓３１から視認可能な状態としたりする制御を行うことができる。
【００２６】
各リール４２Ｌ，４２Ｍ，４２Ｒに付された絵柄のうち、表示窓３１Ｌ，３１Ｍ，３１Ｒを介して全体を視認可能な絵柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の絵柄が遊技者に視認可能な状態となる。
【００２７】
表示パネル３０には、図１に示すように、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に絵柄が所定の組合せで停止した場合に入賞となり、予め定められたメダル払出処理や特定遊技への移行処理などが実行される。
【００２８】
次に、各リール４２Ｌ，４２Ｍ，４２Ｒに付される絵柄について説明する。
図６には、左リール４２Ｌ，中リール４２Ｍ，右リール４２Ｒのそれぞれに巻かれるリールテープに描かれた絵柄配列が示されている。同図に示すように、各リール４２Ｌ，４２Ｍ，４２Ｒにはそれぞれ２１個の絵柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では当該番号を使用して説明する。
【００２９】
絵柄としては、ビッグボーナスゲームに移行するための第１特別絵柄としての「７」絵柄（例えば、左リールテープ第２０番目）と「青年」絵柄（例えば、左リールテープ１９番目）とがある。また、レギュラーボーナスゲームに移行するための第２特別絵柄としての「ＢＡＲ」絵柄（例えば、左リールテープ第１４番目）がある。また、リプレイゲームに移行するための第３特別絵柄としての「リプレイ」絵柄（例えば、左リールテープ第１１番目）がある。また、小役の払出が行われる小役絵柄としての「スイカ」絵柄（例えば、左リールテープ第９番目）、「ベル」絵柄（例えば、左リールテープ第８番目）、「チェリー」絵柄（例えば、左リールテープ第４番目）がある。そして、各リール４２Ｌ，４２Ｍ，４２Ｒに巻かれるリールテープにおいて、各種絵柄の数や配置順序は全く異なっている。
【００３０】
ここで、入賞となった場合の各絵柄に関する払出枚数について説明する。小役絵柄に関し、「スイカ」絵柄が有効ライン上に左・中・右と揃った場合には１５枚のメダル払出、「ベル」絵柄が有効ライン上に左・中・右と揃った場合には８枚のメダル払出、左リール４２Ｌの「チェリー」絵柄が有効ライン上に停止した場合には２枚のメダル払出が行われる。即ち、中リール４２Ｍ及び右リール４２Ｒの「チェリー」絵柄はメダル払出と無関係である。また、「チェリー」絵柄に限っては、他の絵柄との組合せとは無関係にメダル払出が行われるため、左リール４２Ｌの複数の有効ラインが重なる位置（具体的には上段又は下段）に「チェリー」絵柄が停止した場合には、その重なった有効ラインの数を乗算した分だけのメダル払出が行われることとなり、結果として本実施の形態では４枚のメダル払出が行われる。
【００３１】
また、その他の絵柄に関しては、第１特別絵柄（ビッグボーナス絵柄）の組合せである「７」絵柄又は「青年」絵柄が同一絵柄にて有効ライン上に左・中・右と揃った場合には１５枚のメダル払出、第２特別絵柄（レギュラーボーナス絵柄）の組合せである「ＢＡＲ」絵柄が有効ライン上に左・中・右と揃った場合にも１５枚のメダル払出が行われる。なお、本実施形態においては、例えば「７」絵柄と「チェリー」絵柄とが同時に成立する場合が生じ得るが、かかる場合におけるメダル払出は１５枚である。これは、１回のメダル払出における上限枚数が１５枚に設定されているためである。
【００３２】
更に、第３特別絵柄の組合せである「リプレイ」絵柄が有効ライン上に左・中・右と揃った場合にはメダル払出は行われない。その他の場合、即ち有効ライン上に左リール４２Ｌの「チェリー」絵柄が停止せず、また有効ライン上に左・中・右と同一絵柄が揃わない場合には、一切メダル払出は行われない。
【００３３】
表示パネル３０の下方左側には、図１に示すように、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される始動操作手段を構成する。スタートレバー７１は、遊技者がゲームを開始するときに手で押し操作するレバーであり、手が離れたあと元の位置に自動復帰する。メダルが投入されているときにこのスタートレバー７１が操作されると、各リール４２Ｌ，４２Ｍ，４２Ｒが一斉に回転を始める。
【００３４】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、各リール４２Ｌ，４２Ｍ，４２Ｒが定速回転となると停止させることが可能な状態となり、かかる状態中には図示しないランプが点灯表示されることによって停止操作が可能であることが報知され、回転が停止すると消灯されるようになっている。
【００３５】
表示窓３１Ｌ，３１Ｍ，３１Ｒの下方右側には、投資価値としてのメダルを投入するためのメダル投入口７５が設けられている。メダル投入口７５は投資価値を入力する入力手段を構成する。また、メダル投入口７５が遊技者によりメダルを直接投入するという動作を伴う点に着目すれば、投資価値を直接入力する直接入力手段を構成するものともいえる。
【００３６】
メダル投入口７５から投入されたメダルは、図３及び図４に示すように、前面扉１２の背面に設けられたセレクタ８３によって貯留用通路８１か排出用通路８２のいずれかへ導かれる。セレクタ８３には、後述するメダル通路切替部材８４が設けられ、そのメダル通路切替部材８４の状態に応じてメダルの通過方向が排出用通路８２側か、貯留用通路８１側かで切り替えられるようになっている。貯留用通路８１に導かれたメダルは、筐体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返却される。
【００３７】
図７は、セレクタ８３の内部構造を示す図である。なお、図中の２点鎖線は、理解を容易なものとするためにメダルの通過経路を示したものである。セレクタ８３には、メダル投入口７５から投入されたメダルを貯留用通路８１へ導くための案内通路８５が形成されている。案内通路８５は、メダルが１列で通行可能なようにして、図の上端部から右下部にかけて弧を描くような曲線状に形成されている。より詳しくは、セレクタ８３を構成するセレクタボディには、図の手前側に突出する突条８５ａが設けられており、その突条８５ａに沿って案内通路８５が形成されている。これにより、案内通路８５に到達したメダルは、突条８５ａ上を転がるようにして下流方向へ流れることとなる。
【００３８】
メダル通路切替部材８４は、案内通路８５の上流部に設けられ該案内通路８５に対して出没可能な通路切替片８４ａと、この通路切替片８４ａを動作させるためのソレノイド８４ｂ（図９参照）とを有している。ソレノイド８４ｂの非励磁時には案内通路８５内に通路切替片８４ａが突出し、貯留用通路８１へのメダルの流れが阻害される。これにより、メダルは前記突条８５ａを乗り越えるようにして下方に落下し、排出用通路８２に導かれる。また、ソレノイド８４ｂの励磁時には案内通路８５外に通路切替片８４ａが没する。これにより、メダルは案内通路８５に沿って流れ、貯留用通路８１に導かれる。
【００３９】
通路切替片８４ａの下流側には、メダルの通過を検出する第１投入メダル検出センサ８６と、第２投入メダル検出センサ８７とが案内通路８５の上流下流に並ぶようにして近接配置されている（少なくとも１時期において同一メダルを同時に検出する状態が生じる程度の近接状態とする）。メダル通路切替部材８４のソレノイド８４ｂの非励磁時には、メダルは案内通路８４の途中から下方に落下するため、各投入メダル検出センサ８６，８７によりメダルの通過が検出されることがない。一方、メダル通路切替部材８４のソレノイド８４ｂの励磁時には、各投入メダル検出センサ８６，８７によりメダルの通過が順次検出される。
【００４０】
メダルを遊技者に付与する払出手段としてのホッパ装置９１は、図３及び図５に示すように、メダルを貯留する貯留タンク９２と、メダルを遊技者に払い出す払出装置９３とを備える。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００４１】
メダル投入口７５の下方には、ボタン状の返却スイッチ７６が設けられている（図１参照）。返却スイッチ７６は、メダル投入口７５に投入されたメダルがセレクタ８３内に詰まった際に押されるスイッチであり、このスイッチが押されることによりセレクタ８３が機械的に連動して動作され、当該セレクタ８３内に詰まったメダルがメダル排出口１７より返却されるようになっている。
【００４２】
図３および図５に示した筐体１１の内部においてホッパ装置９１の左方には、電源ボックス１２１が設けられている。電源ボックス１２１は、電源スイッチ１２２やリセットスイッチ１２３や設定キー挿入孔１２４などを備えている。電源スイッチ１２２は、主制御装置１３１を始めとする各部に電源を供給するための起動スイッチである。
【００４３】
リセットスイッチ１２３は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ１２３を押しながら電源スイッチ１２２をオンすると、バックアップデータがリセットされるようになっている。また、電源スイッチ１２２がオンされている状態でリセットスイッチ１２３を押した場合には、エラー状態がリセットされる。
【００４４】
設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００４５】
リールユニット４１の上方には、図５に示すように、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。
【００４６】
図１に示すように、表示窓３１Ｌ，３１Ｍ，３１Ｒの下方左側には、投資価値としてのクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。各クレジット投入スイッチ７７〜７９は前記メダル投入口７５とともに投資価値を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００４７】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００４８】
スタートレバー７１の左側には、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果遊技者に返還される獲得メダルの取扱形式を変更するために操作される。
【００４９】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。なお、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は投入価値及び遊技価値の取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。なお、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００５０】
表示パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００５１】
ここで、メダルがベットされる手順について説明する。ダイレクトモード、クレジットモードのいずれのモードにおいても、遊技の開始時にメダル投入口７５からメダルが投入されるとベットとなる。
【００５２】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００５３】
また、４枚以上のメダルがメダル投入口７５に投入されると、３枚を超える余剰メダルは、そのときのモードがダイレクトモードであればセレクタ８３により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを越える枚数のメダルが投入されたときにはメダル排出口１７からメダル受け皿１８へ返却される。
【００５４】
また、クレジットモードにて遊技が行われ且つ残数表示部３５に貯留枚数が表示されている場合には、第１〜第３クレジット投入スイッチ７７〜７９のいずれかが押された際にも仮想メダルが投入されたこととなりベットとなる。
【００５５】
第３クレジット投入スイッチ７９が押された際には、仮想メダルが１枚投入されたこととして残数表示部３５に表示されている数値が１つディクリメントされ、第１有効ライン表示部３２が点灯して中央ラインが有効ラインとなる。第２クレジット投入スイッチ７８が押された際には、仮想メダルが２枚投入されたこととして残数表示部３５に表示されている数値が２つディクリメントされ、第１有効ライン表示部３２および第２有効ライン表示部３３が点灯して合計３本の組合せラインが有効ラインとなる。第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００５６】
なお、第１〜第３クレジット投入スイッチ７７〜７９のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００５７】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４と、遊技者に各種情報を与える補助表示部１５と本発明の特徴であり遊技状況に応じて駆動部２００（図１２参照）により動作する可動役物装置１０００とを備えた補助表示装置５０とが設けられている。補助表示部１５は補助表示装置５０の中央部に設けられ、本実施形態では表示内容の多様化及び表示演出の重厚化を意図して液晶表示器によって構成されているが、ドットマトリックス表示器等の他の表示器を使用してもよい。補助表示装置５０の左側部分（補助表示部１５の左側方）に設けられ、前後に配置される前方可動部５００と後方可動部４００とを有している（図１２参照）。前方可動部５００は、駆動部２００が動作していない通常時には遊技者から視認できないように後方可動部４００を後方に隠している（図２０参照、以下この位置を初期位置という）。駆動部２００が動作すると、前方可動部５００と後方可動部４００とは連動して右側方に傾斜し（図２１参照、以下この位置を出現準備位置という）、前方可動部５００のみが略垂直方向に２つに割れてその間から後方可動部４００を出現させる（図２３参照、以下この位置を出現位置という）。その後前方可動部５００及び後方可動部４００は、駆動部２００の動作により上述した動作と逆の動作により元の初期位置に戻る。なお、可動役物装置１０００の詳細については後述するが、前方可動部５００及び後方可動部４００は、初期位置においては補助表示部１５の左側方前面側にあり、遊技者が補助表示部１５による表示を視認するのを妨げないように位置しているが、駆動部２００の動作により補助表示部１５の左前面側に被さるように出現準備位置に移動してから、遊技者の目前で出現位置に移動して後方可動部４００を出現させる。
【００５８】
補助表示装置５０の背面には、上部ランプ１３、補助表示装置１０００及びスピーカ１４を駆動させるための表示制御装置１１１が設けられている。補助表示装置５０は、遊技の進行に伴って各種表示演出を実行するためのものであり、各リール４２Ｌ，４２Ｍ，４２Ｒによる遊技を主表示と考えることができることから、本実施形態では補助表示装置１０００と称している。なお、上部ランプ１３及びスピーカ１４の位置や数は特に以上説明したものに限られない。
【００５９】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。
【００６０】
以上に説明したスロットマシンはいわゆる１枚賭の機種であるが、スロットマシンにはその他にも図８に正面図で示した機種のようないわゆる３枚賭専用のものもある。このスロットマシンでは上記した組合せラインは付されているものの、図１のスロットマシンのように有効ライン表示部は設けられていない。そしてその代わりにこの部分（表示窓３１Ｌの左側）には、その上半分のスペースにキャラクタなどの絵柄５２ａが描かれ、下半分のスペースには「左」「中」「右」の文字が書かれた３つの表示領域である指示表示部５１Ｌ，５１Ｍ，５１Ｒが設けられている。この指示表示部５１Ｌ，５１Ｍ，５１Ｒは遊技者に対して当選した役を揃えるための指示を与えるための表示であり、ストップスイッチ７２，７３，７４の押し順をガイドすべく所定の順番で明るく表示されるようになっている。また表示窓３１Ｒの右側の領域には遊技者の興趣を向上させるための絵柄５２ｂが描かれており、この絵柄も遊技中所定のタイミングで明るく表示されるようになっている。なおこのスロットマシン１０は３枚賭専用の機種であるため、図１等に示した第２クレジット投入スイッチ７８や第３クレジット投入スイッチ７９は設けられておらず、第１クレジット投入スイッチ７７のみが設けられている。
【００６１】
そして、実際のメダル３枚が投入されるかクレジットされた仮想メダルが３枚分投入されて初めて、スタートレバー７１の操作により各リール４２Ｌ，４２Ｍ，４２Ｒが回転を開始するようになっている。ここで３枚賭専用の機種であっても当然、通常のスロットマシンでメダルを３枚投入した時と同様に、中央ライン、上ライン、下ライン、一対の斜めラインの合計５本の組合せラインの全てが有効ラインとなっている。それ以外の点については通常のスロットマシンと３枚賭専用スロットマシンとで特に大きく異なる点はない。
【００６２】
なお上述のように３枚賭専用のスロットマシンでは、第２クレジット投入スイッチや第３クレジット投入スイッチがその外装には設けられていないが、その内部構造としては各スイッチに対応可能となっているため、必要に応じて操作パネル５９の交換や一部改変などによりスイッチを設けてやることができるようになっている。
【００６３】
次に、本スロットマシン１０の電気的構成について、図９のブロック図に基づいて説明する。
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基板としての機能を果たすものである。
【００６４】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８の操作を個別に検出するクレジット投入検出センサ７７ａ，７８ａ、切換スイッチ８０の操作を検出する切換検出センサ８０ａ、各リール４２Ｌ，４２Ｍ，４２Ｒの回転位置を個別に検出するリールインデックスセンサ５５Ｌ，５５Ｍ，５５Ｒ、ホッパ装置９１から払い出されるメダルを検出する払出検出センサ９１ａ、リセット操作を検出するリセット検出センサ６４０、設定キー挿入孔１２４に設定キーが挿入されたことを検出する設定キー検出センサ１２４ａ、前面扉１２の開放を検出するための開放検知スイッチ８２０（図４参照）等の各種センサが接続されており、これら各種センサからの信号は入出力ポート１５５を介してＣＰＵ１５１に出力されるようになっている。
【００６５】
なお、投入メダル検出センサ７５ａは実際には複数個のセンサより構成されている。即ち、メダル投入口７５からホッパ装置９１に至る貯留用通路８１は、その上流部において、メダルが１列で通行可能なように構成されている。そして、貯留用通路８１の上流部には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【００６６】
また、主制御装置１３１の入力側には、入出力ポート１５５を介して電源装置１６１に設けられた停電監視回路１６１ｂが接続されている。なお、電源装置１６１には、主制御装置１３１を始めとしてスロットマシン１０の各電子機器に駆動電力を供給する電源部１６１ａや、上述した停電監視回路１６１ｂなどが搭載されている。
【００６７】
停電監視回路１６１ｂは電源の遮断状態を監視し、停電時はもとより、電源スイッチ１２２による電源遮断時に停電信号を生成するためのものである。この例では直流１２ボルトの安定化駆動電圧を監視し、この駆動電圧が例えば１０ボルト未満まで低下したとき電圧が遮断されたものと判断して停電信号が出力されるように構成されている。停電信号はＣＰＵ１５１と入出力ポート１５５のそれぞれに供給され、ＣＰＵ１５１ではこの停電信号を認識することにより所定の停電時処理が実行される。
【００６８】
電源部１６１ａからは出力電圧が１０ボルト未満まで低下した場合でも、主制御装置１３１などの制御系における駆動電圧として使用される５ボルトの安定化電圧が出力されるように構成されており、この安定化電圧が出力されている時間としては、主制御装置１３１による停電時処理を実行するに十分な時間が確保されている。
【００６９】
主制御装置１３１の出力側には、各有効ライン表示部３２，３３，３４、残数表示部３５、ゲーム数表示部３６、獲得枚数表示部３７、各リール４２Ｌ，４２Ｍ，４２Ｒを回転させるための各ステッピングモータ６１Ｌ，６１Ｍ，６１Ｒ、セレクタ８３に設けられたメダル通路切替ソレノイド８４ｂ、ホッパ装置９１、表示制御装置１１１、遊技ホールのホール管理装置などに情報を送信できる外部集中端子板１７１等が入出力ポート１５５を介して接続されている。
【００７０】
表示制御装置１１１は、上部ランプ１３、スピーカ１４及び補助表示装置５０を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４及び補助表示装置５０を駆動制御する。従って、表示制御装置１１１は、遊技を統括管理するメイン基板たる主制御装置１３１との関係では補助的な制御を実行するサブ基板となっている。即ち、間接的な遊技に関する音声やランプ、表示についてはサブ基板を設けることにより、メイン基板の負担軽減を図っている。なお、各種表示部３２〜３７を表示制御装置１１１が制御する構成としてもよい。また、上部ランプ１３、スピーカ１４及び補助表示装置５０のうちのいずれか１つ以上を主制御装置１３１が直接駆動する構成としてもよく、例えば表示制御装置１１１を設けない構成としてもよい。
【００７１】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、各種処理を実行するためのプログラムは、制御プログラムの一部として上述したＲＯＭ１５２に記憶されている。
【００７２】
ＲＡＭ１５３は、スロットマシン１０の電源が遮断された後においても電源ボックス１２１内に設けられた電源装置１６１からバックアップ電圧が供給されてデータを保持（バックアップ）できる構成となっており、ＲＡＭ１５３には、各種のデータ等を一時的に記憶するためのメモリやエリアの他に、バックアップエリアが設けられている。
【００７３】
バックアップエリアは、停電などの発生により電源が遮断された場合において、電源遮断時（電源スイッチ１２２の操作による電源遮断をも含む。以下同様）のスタックポインタや、各レジスタ、Ｉ／Ｏ等の値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴うＮＭＩ割込み処理が即座に実行される。
【００７４】
従って、遊技ホールの営業が終了する場合のように通常手順で電源を遮断すると遮断前の状態が記憶保持されるが、リセット操作を行いつつ電源スイッチ１２２をオンすると、バックアップデータがリセットされるようになっている。リセット操作は、リセット検出センサ６４０が検出し、主制御装置１３１に対し検出信号を出力する。主制御装置１３１は、この検出信号に基づいて、リセット操作があったことを把握することができる。これにより、例えばホッパーエラー等のエラー状態のリセットを、前面扉１２を開放することなく行うことも可能となる。
【００７５】
なお、電源装置１６１の電源部１６１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【００７６】
次に、本発明の特徴である可動役物装置１０００について図面を参照して詳細に説明する。図１０は可動役物装置１０００の正面図である。図１１は可動役物装置１０００の背面図である。図１２は可動役物装置１０００の大まかな構成を説明する分解斜視図であり、正面側斜め上方から視認した状態を示す。図１３〜図１６は可動役物装置１０００の詳細な構成を説明する分解斜視図であり、図１３及び図１４は正面側斜め上方から視認した状態を、図１５及び図１６は背面側斜め上方から視認した状態を示す。図１７は支持板の前面側に配設される部材の構成を説明するための背面図であり、前方可動部５００、後方可動部４００、作動部材６１０及び作動バネ６３０を示す。図１８はギア部５９０の拡大斜視図である。図１９は作動部材６１０を示し、（ａ）は拡大斜視図、（ｂ）は正面図である。なお、これらの図面はすべて、可動部（前方可動部５００、後方可動部４００）が初期位置にある状態を示している。また、図１３及び図１５は、支持板３００とその前方及び側方に取り付けられる部材を示した図であり、図１４及び図１６は、支持板３００とその後方に取り付けられる部材を示した図である。
【００７７】
可動役物装置１０００は、図１２等に示すように、駆動手段を有する駆動部２００と、駆動部２００の前方に配設され、駆動部２００等を支持する支持板３００と、支持板３００の前方に配設され、支持板３００に回動可能に軸支される後方可動部４００と、後方可動部４００の前方に配設される装飾部５１０，５５０を有し、かつ、後方可動部４００に回動可能に軸支される前方可動部５００と、駆動部２００の駆動力により互いに連係して前方可動部５００及び後方可動部４００を軸動させる２つの作動手段６００と、前方可動部５００、後方可動部４００及び支持板３００の側方部分を覆うカバー部７００とを備えている。ここで、回動とは、軸を中心として正転方向（時計回り）及び逆転方向（反時計回り）の両方向に円運動することであり、回動の動作の途中に円運動を停止することがあってもよく、円運動する際の回転角度は限定されない。なお、可動役物装置１０００は、初期位置から出現準備位置を経て出現位置まで移動した後に、逆の動作により初期位置に戻るが、初期位置において機能するロック機構Ｘと出現位置において機能するロック機構Ｙとを有する。これらのロック機構Ｘ，Ｙの詳細については、後述する。
【００７８】
前方可動部５００は、１つの演出役物を略中央部分で垂直方向に２分割するようにして形成した前方右装飾部材５１０及び前方左装飾部材５５０を有する。前方右装飾部材５１０及び前方左装飾部材５５０は、後方装飾部材４１０を囲い込むように背面側に取り付けられる右ガイド部５４０及び左ガイド部５８０と、下端側の右軸支部５２１ａ及び左軸支部５６１ａに互いに噛合するように配設されるギア部５９０（右ギア５９１及び左ギア５９２）を有している（図１５参照）。また、後方可動部４００は、演出役物である後方装飾部材４１０を有し、回動支軸４３０により支持板３００に軸支されている。なお、係止ピンｋについては後述する。可動役物装置１０００は、作動手段６００として、駆動部２００の駆動力が伝達されて揺動し、前方右装飾部材５１０や後方装飾部材４１０を押圧する作動部材６１０と、前方右装飾部材５１０と後方装飾部材４１０とに両端部が取り付けられ、後方装飾部材４１０を前方右装飾部材５１０と連動させる作動バネ６３０とを備えている。駆動部２００は、駆動手段であるモータ２１１及びこれを支持するモータ支持板２１３を有するモータ部２１０と、モータ２１１による駆動力を作動部材６１０に伝達する駆動伝達部２３０と、駆動伝達部２３０の動作状態を検出する駆動検出部２４０と、モータ２１１の動きを補助するために設けられる補助バネ２５０とを有している。なお、これらの詳細については後述する。また、適宜、駆動部２００と２つの作動手段６００とを合わせて駆動機構という。
【００７９】
図１０〜図１６等に示すように、支持板３００は、前面側にレンガ模様が施された略矩形板状の部材である。
支持板３００は、周縁部分には後方又は右側方に突出する周壁部Ａが延設されており、下端部右側及び上端部左側にはネジ孔Ｂが形成されている。支持板３００は、周壁部Ｗを補助表示装置５０の枠状部材（図示せず）に嵌め込んで、ネジ孔Ｂに前方からネジｂを取り付けることによって、スロットマシン１０の補助表示装置５０内に固設されている。
【００８０】
支持板３００の背面側には、駆動部２００の各部材を支持するための突起やネジ穴等が形成されている。支持板３００の上端中央部には、後方に突出する壁状又は凸状の係止突部Ｃ、後方に突出し中心軸部分にネジ穴Ｄ１が設けられた円筒状の突起（一部図示せず）が、後述する駆動検出部２４０の２つのフォトセンサ２４１，２４３を固設するために形成されている。支持板３００の右上端部（背面視左上端部）及び支持板３００の左端中央部（背面視右端中央部）には、後方に突出し中心軸部分にネジ穴Ｅ１が設けられた円筒状の突起が、モータ部２１０のモータ支持板２１３を固設するために形成されている。また、支持板３００の左上部（背面視右上部）には、後方に突出し中心軸部分に保持穴３０１が設けられた円筒状の突起が、後述する駆動伝達部２３０のクランク２３１のボス部α２の前端側を保持するために形成されている。
【００８１】
支持板３００の右下部（背面視左下部）には、中心軸部分には前後方向に貫通した孔である回動支軸孔３０３が設けられた、前方及び後方に突出する円筒状の突起であるボス部α１が形成されている。この回動支軸孔３０３には作動部材６１０及び後方装飾部材４１０の回動の中心となる円柱状の回動支軸４３０が挿通されている。また、支持板３００の回動支軸孔３０３の左側には、この回動支軸孔３０３を中心として、中心角が略７５度の円弧状の長孔である作動孔３０５が下側中央部に形成されている。この作動孔３０５を介して、支持板３００の後方に配設された駆動伝達部２３０から、支持板３００の前方に配設された作動部材６１０に駆動力が伝達される。
【００８２】
支持板３００には、回動支軸孔３０３を中心とし中心角が略２５度の円弧状の長孔である上側ガイド孔３０７が右上部（背面視左上部）に略水平に、下側ガイド孔３０９が左下部（背面視右下部）に略垂直に、それぞれ形成されている。上側ガイド孔３０７及び下側ガイド孔３０９には、後述する後方装飾部材４１０の背面側に形成された上側ガイド突起４１７及び下側ガイド突起４１９が挿入される。なお、詳細は後述するが、上側ガイド孔３０７及び下側ガイド孔３０９は後方装飾部材４１０の軸動を案内するとともに、作動孔３０５よりも中心角を小さくすることにより後方装飾部材４１０の軸動角度を制限する役目を担っている。
【００８３】
モータ部２１０は、駆動手段であるモータ２１１と、モータ２１１を支持し支持板３００に固定される略Ｃ字状の透明な板状部材であるモータ支持板２１３とを有する。
モータ支持板２１３の前面側には、上縁以外の周縁部分から前方に突出するように延設された縁壁面により、収納スペースＦが画成されている。この収納スペースＦには、駆動検出部２４０及び後述する駆動伝達部２３０のクランク２３１が収納され保護されている。また、モータ支持板２１３には、その下端部及び右端部にネジ孔Ｅ２が、上端部及び左端部にはネジ穴Ｇ１が、中央部には貫通孔である出力軸挿通孔２１３ａが形成されている。モータ支持板２１３は、ネジｅをネジ孔Ｅ２に挿通させて支持板３００のネジ穴Ｅ１に固定することにより、支持板３００の後方に固設されている。
【００８４】
モータ支持板２１３の下端部には、両端部がフック状となったコイル状のばねである補助バネ２５０の一端側を掛けるための略Ｌ字状の鉤部２１３ｂが形成されている。補助バネ２５０は、自然長よりも引き伸ばした状態で、他端側が後述する後方装飾部材４１０の鉤部４１０ｂに掛けられている（図１１参照）。つまり、回動支軸４３０により支持板３００に回動可能に軸支されている後方装飾部材４１０は、補助バネ２５０によりその左端側（背面視右端側）が上方に引っ張られ、正面視正転方向に回転するように付勢されている。この補助バネ２５０は、後方装飾部材４１０をこのように付勢することによって、初期位置から出現準備位置への移動の際にモータ２１１に掛かる負荷を軽減させる役目を担っている。初期位置から出現準備位置への移動の際には、重力に反して前方可動部５００及び後方可動部５５０を回転させる必要があり、モータ２１１に掛かる負荷が大きくなるためである（図２０、図２１参照）。
【００８５】
モータ２１１は、前面側に前後方向に延びる出力軸２１１ａが取り付けられている。モータ２１１は、ネジ孔Ｇ２が形成されている側方に突出する突部を有し、ネジｇをネジ孔Ｇ２に挿通させてモータ支持部板２１３のネジ穴Ｇ１に固定することによりモータ支持部板２１３の後方に固設されている。また、モータ２１１の出力軸２１１ａは、その前端側がモータ支持部板２１３の出力軸挿通孔２１３ａの前面側から突出するように挿通されている。
【００８６】
駆動伝達部２３０は、モータ２１１の出力軸２１１ａが一端側に挿入されるクランク２３１と、このクランク２３１の他端側に一端側が回動可能に連結され、他端側が作動部材６１０の作動突起６１２に回動可能に連結される駆動力伝達アーム２３３とを有する。
クランク２３１は、２つの略羽根状の検出片２３１ｃを有する略Ｉ字形の縦長形状の短い板状部材である。クランク２３１は、その上端側には前方及び後方に突出し、中心軸部分に貫通孔である出力軸挿着孔２３１ａが設けられた円筒状の突起であるボス部α２が形成され、ボス部α２の前端側の側壁面に左右側方に突出する２つの検出片２３１ｃが形成されている。また、クランク２３１の他端側には前方に突出した円筒状の駆動突起２３１ｂが形成されている。なお、検出片２３１ｃについては後述する。駆動力伝達アーム２３３は、略Ｉ字形の縦長形状に形成された長い板状部材であり、上端側には前後方向に貫通するクランク連結孔２３３ａが、下端側には前後方向に貫通する作動部材連結孔２３３ｂが形成されている。
【００８７】
クランク２３１のボス部α２（出力軸挿着孔２３１ａ）には、モータ２１１の出力軸２１１ａの前端側が後方から挿着される。また、ボス部α２の前端側は支持板３００の保持穴３０１によって回動可能に保持されている。クランク２３１の駆動突起２３１ｂは、駆動力伝達アーム２３３のクランク連結孔２３３ａに挿通され、クランク連結ネジｈにより回動可能に連結されている。駆動力伝達アーム２３３の作動部材連結孔２３３ｂには、支持板３００の作動孔３０５に挿通された後述する作動部材６１０の作動突起６１２が、作動部材連結ネジｉにより回動可能に連結される。つまり、モータ２１１の駆動により、クランク２３１は出力軸２１１ａが挿入されたボス部α２を中心として回動し駆動突起２３１ｂを移動させる。駆動突起２３１ｂが一端側に連結された駆動力伝達アーム２３３は、駆動突起２３１ｂの移動に伴って動き、支持板３００の前面側に配設された作動部材６１０の作動突起６１２を作動孔３０５に沿うように移動させる。このようにして、支持板３００の背面側に配設された駆動部２００は支持板３００の前面側の作動部材６１０に駆動力を伝達する。
【００８８】
駆動検出部２４０は、２つのフォトセンサ２４１，２４３を有する。フォトセンサ２４１，２４３には側方に突出する突部にネジ孔Ｄ２が形成されており、フォトセンサ２４１，２４３は、ネジｄをネジ孔Ｄ２に挿通させて支持板３００のネジ穴Ｄ１（一部図示せず）固定することにより、支持板３００の背面に固設されている。フォトセンサ２４１，２４３は、それぞれ、クランク２３１に形成された検出片２３１ｃにより、前方可動部５００及び後方可動部４００の位置を検出するものであるが、その詳細については省略する。
【００８９】
カバー部７００は、前方可動部５００、後方可動部４００及び支持板３００の左側方の一部を覆う略平板板状の固定装飾部材７１０を有し、その後端部のネジ孔Ｊ２にネジｊを挿通させて、支持板３００及びモータ支持板２１３の背面に形成されているネジ孔Ｊ１に固定することにより、支持板３００に固設されている。固定装飾部材７１０の右側壁にはレンガ模様が施されている。
【００９０】
図１０〜図１７等に示すように、後方可動部４００は、支持板３００の前面側に配設される人を模した後方装飾部材４１０と、後方装飾部材４１０を支持板３００に回動可能に連結支持する回動支軸４３０とを有する。後方装飾部材４１０は、駆動部２００の駆動により初期位置から出現準備位置へと軸動し、その後逆の動きにより元の初期位置に戻る（図２０〜図２３参照）。なお、前方右装飾部材５１０及び前方左装飾部材５５０が出現準備位置と出現位置とを往復する間、後方装飾部材４１０は出現準備位置に留まったまま動かない。
【００９１】
後方装飾部材４１０は、板状部材からなり、その右下端部（背面視左下端部）には、後方に突出し、中心軸部分には軸支穴４１１ａが設けられた円筒状の軸支部４１１が形成されている。回動支軸４３０は、支持板３００の後方から、支持板３００の回動支軸孔３０３、後述する作動部材６１０の軸孔６１１に挿通され、この後方装飾部材４１０の軸支穴４１１ａに挿着され、その後端部が略Ｃ字形状の係止具４３０ａにより係止されている。つまり、この回転支軸４３０によって、作動部材６１０及び後方装飾部材４１０は支持板３００に回動可能に軸支されている。
【００９２】
後方装飾部材４１０の左端中央部（背面視右端中央部）には、側方に突出するように略Ｌ字状の鉤部４１０ａが形成され、両端部がフック状となったコイル状のばねである作動バネ６３０の一端側が、自然長よりも引き伸ばした状態で掛けられている（図１７参照）。作動バネ６３０の他端側は後述する前方右装飾部材５１０の右ガイド部５４０の鉤部５４１ｂに連結されており、後方装飾部材４１０は前方右装飾部材５１０に連動するように付勢されている。
【００９３】
後方装飾部材４１０の上端部には、後方に突出し中心軸部分に係止穴が設けられた円筒状の上側ガイド突起４１７が形成されている。上側ガイド突起４１７は、支持板３００の上側ガイド孔３０７に挿入され、支持板３００の後方から係止ピンｋが固着され、上側ガイド孔３０７に移動可能に係止されている。また、後方装飾部材４１０の左下端部（背面視右下端部）には、後方に突出する円柱状の下側ガイド突起４１９が形成されている。下側ガイド突起４１９の後端面には、補助バネ２５０の他端部を掛けるための略Ｌ字状の鉤部４１０ｂが後方に突出するように形成されている。下側ガイド突起４１９は、下側ガイド孔３０９に挿入され、上述した補助バネ２５０により下側ガイド孔３０９に移動可能に係止されている（図１１参照）。
【００９４】
このように、回動支軸４３０を中心として支持板３００に回動可能に軸支されている後方装飾部材４１０は、作動バネ６３０により前方右装飾部材５１０と一体的に移動するが、支持板３００の上側ガイド孔３０７に挿入された上側ガイド突起４１７及び下側ガイド孔３０９に挿入された下側ガイド突起４１９によりその軸動角度は略２５度に制限される（段落００８２）。よって、後方装飾部材４１０は、前方右装飾部材５１０と連動して初期位置から出現準備位置に移動した後は、前方右装飾部材５１０が出現位置まで移動してもこれに連動することなく出現準備位置に留まったままとなる（図２０〜図２３参照）。
【００９５】
軸支部４１１の上方には作動部材６１０に当接する円筒状の逆転突起４１２が形成されている。この逆転突起４１２は、作動部材６１０が正面視逆転方向に回転する際に押圧されて、前方可動部５００及び後方可動部４００を出現準備位置から初期位置に戻す役目を担っている（図２０、図２１参照）。
【００９６】
後方装飾部材４１０の下端部には、横並びに形成された右側支持孔４１３ｘ及び左側支持孔４１３ｙが形成されている（図１３参照）。右側支持孔４１３ｘ及び左側支持孔４１３ｙには、前方右装飾部材５１０及び前方左装飾部材５５０の下端側が右連結支持ピンｍ及び左連結支持ピンｎ等によって回動可能に軸支されている。
後方装飾部材４１０の中央右端部（背面視中央左端部）及び中央左端部（背面視中央右端部）には、後方に突出し中心軸部分に係止孔Ｑ１，Ｒ１が設けられた円筒状の突起である右係合突起４１５ｘ及び左係合突起４１５ｙが形成されている。この右係合突起４１５ｘ及び左係合突起４１５ｙは、後述する前方右装飾部材５１０の右ガイド部５４０の右係合孔５４１ａ及び前方左装飾部材５５０の左ガイド部５８０の左係合孔５８１ａに挿入され、右ガイド部５４０及び左ガイド部５８０の後方から係止ピンｑ，ｒが固着され、右係合孔５４１ａ内及び左係合孔５８１ａ内を移動可能に係止されている（図１７参照）。
【００９７】
前方可動部５００は、一枚の名刺を模した縦長の略矩形板状の役物であり、短手方向の略中央部分で垂直に２分割するようにして形成された前方右装飾部材５１０及び前方左装飾部材５５０を有している。前方右装飾部材５１０及び前方左装飾部材５５０の分割面である対向する側面は凹凸が形成されており、互いに他方の凹凸と噛み合うような形状となっている。また、前方右装飾部材５１０及び前方左装飾部材５５０は、１つの役物を構成している状態において、後方装飾部材４１０を遊技者に視認することができないように後方に隠すことができるような大きさとなっている。前方右装飾部材５１０及び前方左装飾部材５５０は、駆動部２００の駆動により初期位置から出現準備位置、出現位置へと回転移動し（図２０〜図２３参照）、その後逆の動きにより元の初期位置に戻る。なお、図示していないが、前方右装飾板５１１の左側面の背面側には、左側方に突出するフランジ状の突部が形成されており、前方左装飾板５６１の右側面の背面側には、この突部に対向する位置に凹み部分が形成されている。前方右装飾部５１０と前方左装飾部５６０が組み合わさっているとき（初期位置から出現準備位置）に、前方左装飾部５６０の左側面の凹み部分に前方右装飾部５１０の右側面の突部が入り込むことによって、遊技者に後方可動部４００が視認されることを確実に防ぐことができる。
【００９８】
前方右装飾部材５１０は、文字を図案化した右装飾板５２１を有する右役物部５２０と、右役物部５２０の右端側背面にネジ止めされ、出現準備位置から出現位置に移動する際に右役物部５２０の移動を案内する右ガイド部５４０とを有する。右装飾板５２１の背面内側には凹みが形成されており、ＬＥＤ（光源）等が一体的に取り付けられた右役物基板５２３が嵌め込まれネジ止めされている。なお、右役物基板５２３と右装飾板５２１の間には反射板やレンズ等が配設されているが、その詳細については省略する。
【００９９】
右役物部５２０（右装飾板５２１）の左下端部（背面視右下端部）には、下方に突出し背面側に画成された空間を有する右軸支部５２１ａが形成されている。この空間には、後述するギア部５９０の右ギア５９１が収納されて、右ギア５９１は、ネジ孔Ｓ２に挿通され右役物部５２０のネジ穴Ｓ１に挿着されたネジｓにより固定されている。また、右軸支部５２１ａの略中央には右側連結孔５２１ｂが形成されており、右役物部５２０（前方右装飾部材５１０）は、前方から挿通される右連結支持ピンｍ及びその後端部を係止する略Ｃ字形状の右係止具ｍ１によって、右ギア５９１を介して後方装飾部材４１０の下端部の右側支持孔４１３ｘに回動可能に軸支されている。なお、右ギア５９１の詳細については、後述する。
【０１００】
右ガイド部５４０は、後方装飾部材４１０の後方に平行に配設された正面視円弧状の板状部分である右係合部５４１と、右係合部５４１を右役物部５２０の背面右端側に、後方装飾部材４１０の右側面中央部を囲うようにして固設するために、右係合部５４１の右端側に前方に突出するように形成された右取付部５４３と、右係合部５４１の上面に上方に突出するように形成された当接部５４５とを有する（図１７参照）。前方右装飾部材５１０及び前方左装飾部材５５０は、右役物部５２０及び後述する左役物部５６０の背面側に設けられた右ガイド部５４０及び後述する左ガイド部５８０により、平面視において後方に配設される後方装飾部材４１０の中央部分を囲い込んでいる。
【０１０１】
右ガイド部５４０の右取付部５４３には上下端部には２つのネジ孔Ｔ２が、右役物部５２０の背面側右端中央部（背面視左端中央部）には上下に２つのネジ穴Ｔ１が形成されている。右ガイド部５４０は、これらに挿通、挿着されるネジｔにより、右役物部５２０の背面に固設されている。右係合部５４１には、正面視において右連結支持ピンｍの軸心を中心とする円弧状の右係合孔５４１ａが形成されており、上述した後方装飾部材４１０の右係合突起４１５ｘがその前端側が突出するように挿通され、係止ピンｑにより移動可能に係止されている。また、右係合突起４１５ｘの基部にはフランジβ１が設けられており、右装飾板５２１（右役物部５２０）は、後方装飾部材４１０と一定の間隔を保った状態で軸動する。右係合部５４１の右端下側には下方に突出する略Ｌ字状の鉤部５４１ｂが形成されている。この鉤部５４１ｂには、上述したように、後方装飾部材４１０に一端側が引っ掛けられた作動バネ６３０の他端側が掛けられている（段落００９２参照）。なお、当接部５４５については後述する。
【０１０２】
前方右装飾部材５１０（右装飾板５２１）の下端部には、後方に突出し中心軸部分にネジ穴Ｕ１が設けられた円筒状の正転突起５２１ｃが形成されており、正転突起５２１ｃの外周に挿着された円筒状の保護部材５２１ｄがネジｕにより外れないように固定されている。この保護部材５２１ｄが挿着された正転突起５２１ｃは作動部材６１０に当接するように設けられており、作動部材６１０が正面視正転方向に回転する際に押圧され、前方右装飾部材５１０を初期位置から出現準備位置を経て出現位置に移動させる役目を担っている。なお、この保護部材５２１ｄは、正転突起５２１ｃの側壁面の曲率を小さくするとともに、作動部材６１０との接触面の摩擦係数を小さくして、正転突起５２１ｃの磨耗を防ぐものである。
【０１０３】
前方左装飾部材５５０は、前方右装飾部材５１０と異なり、正転突起５２１ｃ、当接部５４５及び鉤部５４１ｂが形成されていないが、基本的な構成は略同じである。
前方左装飾部材５５０は、文字を図案化した左装飾板５６１を有する左役物部５６０と、左役物部５６０の左端側背面にネジ止めされ、出現準備位置から出現位置に移動する際に左役物部５６０の移動を案内する左ガイド部５８０とを有する。左装飾板５６１の背面内側には凹みが形成されており、ＬＥＤ（光源）等が一体的に取り付けられた左役物基板５６３が嵌め込まれネジ止めされている。なお、左役物基板５６３と左装飾板５６１の間には反射板やレンズ等が配設されているが、その詳細については省略する。
【０１０４】
左役物部５６０（左装飾板５６１）の右下端部（背面視左下端部）には、下方に突出し背面側に画成された空間を有する左軸支部５６１ａが形成されている。この空間には、後述するギア部５９０の左ギア５９２が収納されて、左ギア５９２は、ネジ孔Ｖ２に挿通され左役物部５６０のネジ穴Ｖ１に挿着されたネジｖにより固定されている。また、左軸支部５６１ａの略中央には左側連結孔５６１ｂが形成されており、左役物部５６０（前方左装飾部材５５０）は、前方から挿通される左連結支持ピンｎ及びその後端部を係止する略Ｃ字形状の左係止具ｎ１によって、左ギア５９２を介して後方装飾部材４１０の下端部の左側支持孔４１３ｙに回動可能に軸支されている。なお、左ギア５９２の詳細については、後述する。
【０１０５】
左ガイド部５８０は、後方装飾部材４１０の後方に平行に配設された正面視円弧状の板状部分である左係合部５８１と、左係合部５８１を左役物部５６０の背面左端側に、後方装飾部材４１０の左側面中央部を囲うようにして固設するために、左係合部５８１の左端側に前方に突出するように形成された左取付部５８３とを有する。
左ガイド部５８０の左取付部５８３には上下端部には２つのネジ孔Ｗ２が、左役物部５６０の背面側左端中央部（背面視右端中央部）には上下に２つのネジ穴Ｗ１が形成されている。左ガイド部５８０は、これらに挿通、挿着されるネジｗにより、左役物部５６０の背面に固設されている。左係合部５８１には、正面視において左連結支持ピンｎの軸心を中心とする円弧状の左係合孔５８１ａが形成されており、上述した後方装飾部材４１０の左係合突起４１５ｙがその前端側が突出するように挿通され、係止ピンｒにより移動可能に係止されている。また、左係合突起４１５ｙの基部にはフランジβ２が設けられており、左装飾板５６１（左役物部５６０）は、後方装飾部材４１０と一定の間隔を保った状態で軸動する。
【０１０６】
当接部５４５は、前方右装飾部材５１０と前方左装飾部材５５０とが一体となった際に、左ガイド部５８０の先端部（正面視右端部）に当接するように右ガイド部５４０の右係合部５４１上方に形成されている（図１７参照）。ここで、前方右装飾部材５１０の右ガイド部５４０は、作動バネ６３０により後方装飾部材４１０の鉤部４１０ａに連結されており、前方右装飾部材５１０は正面視逆転方向に回転するように付勢されている。前方右装飾部材５１０は、前方左装飾部材５５０に当接した状態（一体となった状態）においてはギア部５９０によりそれ以上の回転が阻止されるが、作動バネ６３０の付勢力を制限する当接部５４５を設けることにより、ギア部５９０に掛かる負荷を軽減している。
【０１０７】
右ガイド部５４０及び左ガイド部５８０は、前方右装飾部材５１０及び前方左装飾部材５５０が、出現準備位置から出現位置へ移動する際及び出現位置から出現準備位置へ移動する際に、部材の移動等による振動などで揺れて後方装飾部材４１０に接触することのないように、下端側のみが後方装飾部材４１０に支持されている前方右装飾部材５１０及び前方左装飾部材５５０を案内する役目を担うものである。なお、前方右装飾部材５１０及び前方左装飾部材５５０並びに後方装飾部材４１０を初期位置から出現準備位置、出現準備位置から初期位置に移動させる際には、右ガイド部５４０及び左ガイド部５８０はその動作自体に関与するものではないが、右ガイド部５４０及び左ガイド部５８０を設けて後方装飾部材４１０を囲い込むことにより、後方装飾部材４１０を大きな部材としても、他の可動装置等の振動等により前方右装飾部材５１０及び前方左装飾部材５５０の側方からはみ出すことを防ぐことができる。これは、初期位置に待機している際も同様である。
【０１０８】
ギア部５９０は、図１８に示すように、右役物部５２０の背面左下側に設けられる右ギア５９１と、左役物部５６０の背面右下側に設けられる左ギア５９２とを有する。
右ギア５９１及び左ギア５９２は、互いに噛合する右噛合部５９１ａ及び左噛合部５９２ａを有し、それぞれネジ穴Ｓ２及びネジ穴Ｖ２に挿通されネジ孔Ｓ１及びネジ孔Ｖ１に挿着されるネジｓ及びネジｖにより、右役物部５２０（前方右装飾部材５１０）の右軸支部５２１ａ及び左役物部５６０（前方左装飾部材５５０）の左軸支部５６１ａに固設されている（図１０、図１５参照）。また、右ギア５９１及び左ギア５９２の中央部分には、それぞれ右役物部５２０の右側連結孔５２１ｂに連通する右支持孔５９１ｂ、右役物部５２０の左側連結孔５６１ｂに連通する左支持孔５９２ｂが形成されている。前方右装飾部材５１０及び前方左装飾部材５５０は、右側連結孔５２１ｂ及び右支持孔５９１ｂに挿通され後方装飾部材４１０の右側支持孔４１３ｘに挿着される右連結支持ピンｍ、左側連結孔５６１ｂ及び左支持孔５９２ｂに挿通され左側支持孔４１３ｙに挿着される左連結支持ピンｎにより、後方装飾部材４１０に回動可能に軸支されている（図１０、図１５参照）。
【０１０９】
このように、右ギア５９１、左ギア５９２は、それぞれ前方右装飾部材５１０の下端部、前方左装飾部材５５０の下端部に固設され、後方装飾部材４１０に回動可能に軸支されている。よって、前方右装飾部材５１０（右ギア５９１）が後方装飾部材４１０に対して正転方向に軸動すると、前方左装飾部材５５０（左ギア５９２）はそれに連動して逆転方向に軸動し、前方右装飾部材５１０（右ギア５９１）が後方装飾部材４１０に対して逆転方向に軸動すると、前方左装飾部材５５０（左ギア５９２）はそれに連動して正転方向に軸動する（図２１〜図２３参照）。
【０１１０】
ここで、このギア部５９０と上述した作動バネ６３０とが関連について説明する。前方可動部５００の前方右装飾部材５１０には、作動バネ６３０の付勢力により、常に右連結支持ピンｍ（右側連結孔５２１ｂ）を中心として逆転方向に回転するように力が加わっている（段落０１０６参照）。初期位置から出現準備位置への移動の際には、前方右装飾部材５１０は作動バネ６３０により逆転方向に回転するように付勢されており、この付勢力とギア部５９０とにより前方左装飾部材５５０を正転方向に回転するように付勢される（段落０１０９参照）ため、前方右装飾部材５１０と前方左装飾部材５５０とは互いに対向する側面が当接した状態が保たれる（図２０、図２１参照、詳細は後述）。そして、出現準備位置から出現位置への移動の際には、前方右装飾部材５１０に作動バネ６３０の付勢力に逆らって、前方右装飾部材５１０が後方装飾部材４１０に対して（後方装飾部材４１０が固定された状態で）正転方向に回転する（段落００９４参照）ため、ギア部５９０により前方左装飾部材５５０が連動して逆転方向に回転して（段落０１０９参照）、前方右装飾部材５１０と前方左装飾部材５５０はその上端側が分かれるように動作する（図２１〜図２３参照、詳細は後述）。
【０１１１】
作動部材６１０は、図１９に示すように、略五角形状の板状部材であり、正面視において、略左右方向に延びる下辺６１０ａと、下辺６１０ａの両端側から右斜め上方に平行に延びる右辺６１０ｂ及び左辺６１０ｃと、下辺６１０ａに平行に形成された上辺６１０ｄと、左辺６１０ｃよりも短い右辺６１０ｂの上端と下辺６１０ａよりも短い上辺６１０ｄの右端とを結び、かつ、軸孔６１１の中心を中心点として円弧状に形成された円弧状曲辺６１０ｅを有する。作動部材６１０の右下端部には前後方向に貫通する軸孔６１１が、左下端部には後方突出状の作動突起６１２が形成されている。円弧状曲辺６１０ｅ及び右辺６１０ｂの円弧状曲辺側部分には、連なるように前方及び後方に突出する壁状の縁壁部γが形成されている。上辺６１０ｄの右端部には、上方に向かって突出するように湾曲した湾曲部δが形成されている。なお、以下、適宜、右辺６１０ｂの縁壁部γの外面を押圧面γ１、円弧状曲辺６１０ｅの縁壁部γの外面を係合面γ２という。
【０１１２】
作動部材６１０は、支持板３００の回動支軸孔３０３及び軸孔６１１に挿通され、後方装飾部材４１０の軸支部４１１（軸支穴４１１ａ）に挿着される回動支軸４３０（図１１、図１７等参照）によって、支持板３００に回動可能に軸支されている。作動突起６１２は、支持板３００の作動孔３０５に挿通され、モータ２１１の駆動力を伝達する駆動力伝達アーム２３３の作動部材連結孔２３３ｂに挿入されて、後方から固着される作動部材連結ネジｉにより、作動孔３０５内を移動可能に係止されている。つまり、作動部材６１０は、駆動力伝達アーム２３３の移動（段落００８７参照）に伴い、正面視において軸孔６１１（回動支軸４３０）を中心として正転方向又は逆転方向に揺動する。そして、正転方向に軸動する際には、作動部材６１０は、前方右装飾部材５１０の背面の、保護部材５２１ｄが挿着されている正転突起５２１ｃを縁壁部γにより押圧して、前方右装飾部材５１０を初期位置から出現準備位置を経て出現位置まで移動させる。また、逆転方向に軸動する際には、後方装飾部材４１０の背面に形成された逆転突起４１２を湾曲部δにより押圧して、後方装飾部材４１０を出現準備位置から初期位置に戻す（図１７、図２０〜図２３参照）。
【０１１３】
ここで、初期位置から出現準備位置へ移動させる際には作動部材６１０の押圧面γ１により正転突起５２１ｃを押圧して、重力に反して前方可動部５００及び後方可動部４００を回転させる。また、出現準備位置から出現位置へ移動させる際には作動部材６１０の押圧面γ１及び係合面γ２により正転突起５２１ｃを押圧して、作動バネ６３０の付勢力に反して前方右装飾部材５１０を回転させるとともに、前方左装飾部材５５０を逆方向に回転させる。そのため、作動部材６１０の押圧面γ１及び係合面γ２にはかなりの負荷が掛かり摩耗しやすい。正転突起５２１ｃ側には保護部材５２１ｄを挿着したが、作動部材６１０側には摩耗を防ぐために縁壁部γを形成して、正転突起５２１ｃが当接する部分の接触面積を広くしている。
【０１１４】
図２０〜図２３は、前方可動部５００（前方右装飾部材５１０、前方左装飾部材５５０及びギア部５９０）及び後方可動部４００（後方装飾部材４１０）の動きを説明する説明図であり、図２０は初期位置にある状態を示す正面図、図２１は出現準備位置にある状態を示す正面図、図２２は出現準備位置から出現位置に移動する途中の状態を示す正面図、図２３は出現位置にある状態を示す正面図である。なお、図２０〜図２３は、駆動伝達部２３０、支持板３００、作動部材６１０、回動支軸４３０、後方装飾部材４１０、作動バネ６３０、前方右装飾部材５１０、前方左装飾部材５５０及びギア部５９０等を模式的に示したものであり、各部材の動きを明確にするために、（ａ）においては駆動伝達部２３０、作動部材６１０及び後方装飾部材４１０の動作状態を示し、（ｂ）においては作動部材６１０、後方装飾部材４１０、作動バネ６３０、前方右装飾部材５１０、前方左装飾部材５５０及びギア部５９０の動作状態を示している。また、前方右装飾部材５１０の右ガイド部５４０、前方左装飾部材５５０の左ガイド部５８０については便宜上図示を省略し、後方装飾部材４１０と前方右装飾部材５１０の右ガイド部５４０とを連結する作動バネ６３０については、鉤部５４１ｂの位置に基づいて前方右装飾部材５１０と結んだ仮想線にて図示している。
以下、図２０〜図２３を参照して、前方可動部５００及び後方可動部４００の動きについて、詳細に説明する。
【０１１５】
まず、初期位置から出現準備位置への動作について説明する。
図２０に示すように、初期位置において、前方右装飾部材５１０及び前方左装飾部材５５０は、対向する側面が当接した状態、つまり１つのデザイン（演出役物）を構成している状態であり、その後方に遊技者が視認できないように後方装飾部材４１０を隠している。初期位置においては、前方右装飾部材５１０及び前方左装飾部材５５０並びに後方装飾部材４１０は、その長手方向が鉛直方向に略沿った起立状態となっており、補助表示部１５の左側方の前面に、補助表示部１５による表示を妨げないように収められている。
【０１１６】
駆動手段であるモータ２１１（図１４参照）が駆動すると、出力軸２１１ａが正転方向に回転して、クランク２３１が出力軸２１１ａを中心として正転方向に回転する。クランク２３１の回転により駆動力伝達アーム２３３が上方に移動し、作動孔３０５の下端側に位置している作動突起６１２を作動孔３０５に沿って上方に移動させる。作動突起６１２が上方に移動することにより、作動部材６１０は回動支軸４３０（軸孔６１１）を中心として正転方向に軸動する。つまり、モータ２１１の駆動力は、駆動伝達部２３０により支持板３００前面側に配設されている作動部材６１０に伝達される。
【０１１７】
駆動力が伝達された作動部材６１０の正転方向の軸動により、保護部材５２１ｄが挿着された前方右装飾部材５１０の正転突起５２１ｃは作動部材６１０の押圧面γ１により下方に押圧される。ここで、前方右装飾部材５１０及び前方左装飾部材５５０は右連結支持ピンｍ及び左連結支持ピンｎにより後方装飾部材４１０のみに回動可能に軸支されており、後方装飾部材４１０は回動支軸４３０より支持板３００のみに回動可能に軸支されている。つまり、前方右装飾部材５１０及び後方装飾部材４１０並びに前方左装飾部材５５０は全体として、回動支軸４３０のみにより支持板３００に軸支されている。また、後方装飾部材４１０は作動バネ６３０により前方右装飾部材５１０と連動するように連結され、前方左装飾部材５５０はギア部５９０及び作動バネ６３０により前方右装飾部材５１０と連動するように連結されている（段落００９２，０１１０参照）。そのため、前方右装飾部材５１０は、正転突起５２１ｃが作動部材６１０により押圧されることにより回動支軸４３０を中心として正転方向に軸動し、上端側が右方向に移動した傾斜姿勢となるとともに、前方左装飾部材５５０及び後方装飾部材４１０も前方右装飾部材５１０と連動して同様に傾斜姿勢となる。このように、前方右装飾部材５１０及び前方左装飾部材５５０並びに後方装飾部材４１０は、モータ２１１の駆動により、初期位置から一体となって回動支軸４３０を中心として傾倒して図２１に示す出現準備位置に移動する。
【０１１８】
ここで、初期位置において機能するロック機構Ｘについて説明する。モータ２１１の駆動を補助するために後方装飾部材４１０には補助バネ２５０が取り付けられている（図１１、段落００８４参照）。ロック機構Ｘは、図２０（ａ）に示すように、初期位置において、出力軸２１１ａと、クランク２３１と駆動力伝達アーム２３３との連結部（駆動突起２３１ｂ）と、駆動力伝達アーム２３３と作動部材６１０との連結部（作動突起６１２）とを正面視略同一直線上に位置させて、後方装飾部材４１０が補助バネ２５０の付勢力により正転方向及び逆転方向に軸動しないようにロックするものである。なお、このロック機構Ｘは、モータ２１１の回転により、容易にロック状態を解除することができる。
【０１１９】
次に、出現準備位置から出現位置への動作について説明する。
図２１に示すように、出現準備位置において、前方右装飾部材５１０及び前方左装飾部材５５０並びに後方装飾部材４１０の位置関係は初期位置と変わらず、後方装飾部材４１０を隠した状態のままであるが、その上端側が、右方に傾倒し補助表示部１５（図１参照）の左前面側に被さるような状態となっている。作動部材６１０の作動突起６１２は、作動孔３０５の下端側から弧長の略三分の一上方に移動した状態であり、後方装飾部材４１０の背面に形成されている上側ガイド突起４１７及び下側ガイド突起４１９は、支持板３００の上側ガイド孔３０７の右端側内壁面、下側ガイド孔３０９の上端側内壁面に当接した状態となっている。
【０１２０】
図２２，２３に示すように、モータ２１１の出力軸２１１ａがさらに正転方向に回転することにより駆動伝達部２３０が移動し、作動突起６１２が作動孔３０５に沿って上端側に移動し、作動部材６１０をさらに正転方向に軸動させる。保護部材５２１ｄが挿着された前方右装飾部材５１０の正転突起５２１ｃは作動部材６１０の押圧面γ１によりさらに下方に押圧される。しかし、上述したように後方装飾部材４１０は、上側ガイド突起４１７及び下側ガイド突起４１９が上側ガイド孔３０７及び下側ガイド孔３０９の端部に当接し移動が阻止されているため、出現準備位置に留まったまま動かない（段落００９４参照）。よって、前方右装飾部材５１０は、作動バネ６３０の付勢力に反して（作動バネ６３０を伸ばして）、今度は後方装飾部材４１０の右連結支持ピンｍを中心として正転方向へ軸動する。前方左装飾部材５５０は、ギア部５９０により前方右装飾部材５１０に連動して左連結支持ピンｎを中心として逆転方向に軸動する。つまり、前方右装飾部材５１０及び前方左装飾部材５５０は反対方向に動き、前方右装飾部材５１０及び前方左装飾部材５５０の上端側が左右に離れるように移動する（段落０１１０参照）。そして、図２３に示すように、前方右装飾部材５１０及び前方左装飾部材５５０は、作動突起６１２が作動孔３０５の上端側内壁面に当接し、作動部材６１０の軸動が止まる出現位置まで移動して、その間から後方装飾部材４１０を出現させる。なお、図２１〜図２３に示すように、前方右装飾部材５１０の正転突起５２１ｃは、作動部材６１０の押圧面γ１により押圧されて右辺６１０ｂの右端側に滑るように移動し、出現位置においては係合面γ２に当接するように移動している。
【０１２１】
出現位置においてはロック機構Ｙが機能している。ロック機能Ｙは、図２３に示すように、作動部材６１０に挿通された回動支軸４３０と、正転突起５２１ｃと、作動部材６１０及び正転突起５２１ｃの接点とを正面視略同一直線上に位置させて、作動バネ６３０の付勢力により前方右装飾部材５１０が正転方向及び逆転方向に軸動しないようにロックするものである。なお、係合面γ２は、軸孔６１１の中心を中心点として正面視円弧状に形成されているので、ロック機構Ｙは、前方右装飾部材５１０等を安定した状態で出現位置に留まらせることができる。
【０１２２】
出現位置から初期位置に戻る際には、各部材が上述した動作と逆に動くだけであるので、詳細は省略し、異なる部分を中心に説明する。
まず、出現位置から出現準備位置への動作について説明する。
モータ２１１の出力軸２１１ａが逆転方向に回転することにより、作動突起６１２が駆動伝達部２３０により作動孔３０５に沿って下端側に移動し、作動部材６１０を逆転方向に軸動させる。作動部材６１０の軸動に伴い、前方右装飾部材５１０の正転突起５２１ｃは係合面γ２から外れて押圧面γ１に移動してロック状態が解除され、前方右装飾部材５１０は作動バネ６３０の付勢力により逆転方向に軸動して出現準備位置に移動する。前方左装飾部材５５０も作動バネ６３０及びギア部５９０により、前方右装飾部材５１０と連動して正転方向に軸動して出現準備位置に移動する。
【０１２３】
次に、出現準備位置から初期位置への動作について説明する。
モータ２１１の出力軸２１１ａがさらに逆転方向に回転することにより、作動突起６１２が駆動伝達部２３０により作動孔３０５に沿って下端側に移動し、作動部材６１０をさらに逆転方向に軸動させる。作動部材６１０は、出現準備位置において上辺６１０ｄ（図１９参照）に形成された湾曲部δに当接している後方可動部４００の逆転突起４１２を押圧し、後方可動部４００を逆転方向に軸動させて起立状態になる初期位置まで移動させる。前方右装飾部材５１０は、作動バネ６３０により後方可動部４００に連動して初期位置まで移動し、前方左装飾部材５５０は、作動バネ６３０及びギア部５９０により前方右装飾部材５１０連動して初期位置まで移動する。
【０１２４】
本発明の可動役物装置１０００によれば、１つの演出物（前方可動部５００）を略鉛直方向に延びる分割面で２つに分割するようにして形成した各分割体（前方右装飾部材５１０、前方左装飾部材５５０）を、駆動手段（モータ２１１）が動作していない通常時には、補助表示部１５の左側方（初期位置）に配設し、遊技状況に応じて駆動手段を動作させて、後方に配設された演出物（後方可動部４００）とともに傾倒させて出現準備位置に移動させ、その後上端側が分かれるように出現位置に移動させて後方の演出物（後方装飾部材４１０）を出現させることができ、また、逆に動作させて元の初期位置に戻すことができる。
【０１２５】
本発明の場合、単に前方右装飾部材５１０のみを傾倒させて後方装飾部材４１０を出現させるのではなく、前方可動部５００及び後方可動部４００を一旦出現準備位置に移動させるように構成している。このような構成とすることにより、駆動手段が動作していない通常時にはスロットマシン１０内の補助表示部１５側方のスペースを有効利用して前方可動部５００及び後方可動部４００をコンパクトに配置し、駆動手段が動作する動作時にはこれらを補助表示部１５の表示画面の前方に突出させて、遊技者の目前で後方装飾部材４１０が出現するように演出することができる。また、出現準備位置に移動させることにより、前方左装飾部材５５０を逆転方向に軸動させるスペースができるので、前方可動部５５０を大きな部材として、前方右装飾部材５１０と前方左装飾部材５５０の両方を反対方向に軸動させて派手な演出を行うことができる。また、出現準備位置に後方可動部４００も前方可動部５００と一体となって遊技者から視認できないように動くので、後方可動部も大きな部材とすることができ、中央部分で裂けるように動作する前方右装飾部材５１０及び前方左装飾部材５５０の間からこれを出現させることによってインパクトのある演出をすることができる。
【０１２６】
また、本発明の可動役物装置１０００によれば、１つの駆動手段（モータ２１１）により、複数の動作を行わせることができるので、設置スペースを取らずコストも削減できる。また、始点である初期位置と終点である出現位置において機能するロック機構Ｘ，Ｙを有するので、前方右装飾部材５１０及び前方左装飾部材５５０並びに後方装飾部材４１０を安定した状態で所定の位置に保つことができ、部材の移動による振動も早期に収めることができる。また、回転モーメントが発生することを防ぎ、モータ２１１への負担を軽減することができる。特に、ロック機構Ｙにおいては、正転突起５２１ｃが、作動部材６１０の軸動の中心である軸孔６１１を中心として正面視円弧状に形成された係合面γ２上に移動することによってロックされるように構成されている。そのため、他の可動役物装置等による振動が加わっても前方右装飾部材５１０の位置を変化させることなく、出現位置に留まらせることができる。
【０１２７】
本発明の可動役物装置１０００によれば、上述したように、前方右装飾部材５１０及び前方左装飾部材５５０は、初期位置から出現準備位置において作動バネ６３０及びギア部５９０によって対向する側面が当接するように構成されている。前方右装飾部材５１０と前方左装飾部材５５０との隙間をなくして、確実に後方装飾部材４１０を隠すとともに一体感のある１つのデザインとして、後方装飾部材４１０を出現させることにより、遊技者に驚きを与えることができる。また、作動バネ６３０や補助バネ２５０を使用することにより、部材の移動による振動や衝撃を吸収し、部材のがたつきを早期に収めることができる。
【０１２８】
なお、可動役物装置１０００の各部材の形状、大きさ、位置、構成等は、上述した実施例に限られず、本実施例の要旨を逸脱しない範囲で種々変更できる。例えば、作動孔３０５、上側ガイド孔３０７及び下側ガイド孔３０９の中心角の角度は、上述したものに限らず適宜変更することができる。また、前方右装飾部材５１０及び前方左装飾部材５５０の構成は上述したものに限らず、少なくとも前方右装飾部材５１０は右装飾板５２１及び右ギア５９１を、前方左装飾部材５５０は左装飾板５６１及び左ギア５９２を有していればよい。作動部材６１０の形状も上述したものに限らず、少なくとも押圧面γ１、湾曲部δを有するものであればよい。可動役物装置１０００をスロットマシン１０内に配設する向きも上述したものに限らない。ギア部５９０は前方右装飾部材５１０及び前方左装飾部材５５０と別体としているが、一体構成としてもよい。駆動手段２１０（駆動機構２００）は、モータ２１１に限らず、作動部材６３０を介して、前方可動部５００及び後方可動部４００を上述のように移動させることができればよい。
【０１２９】
最後に確認事項として上述した実施の形態から抽出される特徴について、必要に応じて効果等を示しつつ説明する。
【０１３０】
［遊技機１］
ベースとなる支持板に取り付けられ、遊技状況に応じて駆動する駆動手段を有する駆動機構によって動作する可動役物装置を備えた遊技機であって、前記可動役物装置は、同一面内で組み合わされることで１のデザインを構成する第１前方装飾部材及び第２前方装飾部材と、該第１前方装飾部材及び第２前方装飾部材の後方に配設され第１前方装飾部材及び第２前方装飾部材を離隔させた際にその間から出現する後方装飾部材と、を有し、前記第１前方装飾部材及び第２前方装飾部材は、その基端側に設けた各第１軸支部で該後方装飾部材に対して所定範囲内でのみ回動が自在となるように後方装飾部材に軸支され、かつ、第１前方装飾部材及び第２前方装飾部材の隣接する該第１軸支部に互いに噛合するように設けられたギア部を備え、前記後方装飾部材は、その一端側に設けた第２軸支部で前記支持板に対して所定範囲内でのみ軸動が自在となるように支持板に軸支され、前記駆動機構は、前記駆動手段の駆動力を前記第１前方装飾部材に伝達し、組み合わせた状態の前記第１前方装飾部材及び第２前方装飾部材並びにその後方の後方装飾部材を初期位置から一体的に軸動させて出現準備位置に移動させた後に、第１前方装飾部材及び第２前方装飾部材をその先端側がそれぞれ離隔するように軸動させて出現位置まで移動させる、ことを特徴とする遊技機。
この遊技機によれば、第１前方装飾部材及び第２前方装飾部材並びに後方装飾部材を大きな部材として、駆動機構が動作していない通常時には遊技機内にコンパクトに収納し、動作時には遊技機内のスペースを有効利用してダイナミックに複数の動作を行わせることができるので、インパクトのある演出により遊技者の興趣を高めることができる。
【０１３１】
［遊技機２］
上記遊技機１において、前記駆動機構は、前記支持板の後方に配設され前記駆動手段を有する駆動部と、支持板の前方、かつ、前記後方装飾部材の後方において後方装飾部材を軸支する回動支軸により軸支され、駆動部の駆動力を前記第１前方装飾部材に伝達する作動部材と、第１前方装飾部材と後方装飾部材とを連結し、これらが連動するように付勢する作動バネと、を有し、前記支持板には、前記後方装飾部の軸動角度を制限するガイド孔が形成され、前記後方装飾部材には該ガイド孔に挿入されるガイド突起が、前記第１前方装飾部材には前記作動部材に当接する作動突起が、それぞれ後方に突出するように形成されており、前記作動部材により前記第１前方装飾部材の前記作動突起を押圧して前記第１前方装飾部材及び第２前方装飾部材並びに後方装飾部材を軸動させて、前記初期位置から後方装飾部材の軸動が制限される出現準備位置まで移動させ、さらに前記作動バネの付勢力に反して第１前方装飾部材の作動突起を押圧して第１前方装飾部材を軸動させて、第１前方装飾部材及び第２前方装飾部材を後方装飾部材が出現する出現位置まで移動させる、ことを特徴とする遊技機。
この遊技機によれば、作動バネを使用することにより、部材の移動による振動や衝撃を吸収して、部材のがたつきを早期に収めることができる。
【０１３２】
［遊技機３］
上記遊技機２において、前記作動部材は、前記第１前方装飾部材の前記作動突起を押圧する第１押圧面に連続して形成された前記回動支軸を中心とする正面視円弧状の係止面を有しており、前記出現準備位置から前記出現位置に移動する際に、該第１前方装飾部材の該作動突起は、該第１押圧面から該係止面に当接するように移動し、出現位置において、該回動支軸と、作動突起と、作動部材及び作動突起の接点とを正面視略同一直線上に位置させて、前記作動バネの付勢力により第１前方装飾部材が軸動しないようにロックする第１のロック機構を有する、ことを特徴とする遊技機。
この遊技機によれば、第１のロック機構により部材の移動による振動も早期に収め、初期位置での部材のぐらつきを防止することができる。また、円弧状に形成された係合面上に接点が位置するように構成されているので、他の可動役物装置等による振動が加わっても前方右装飾部材の位置を変化させることなく、安定した状態で出現位置に留まらせることができる。
【０１３３】
［遊技機４］
上記遊技機２又は３において、前記後方装飾部材には、前記作動部材に当接する逆動突起が後方に突出するように形成され、前記作動部材は、該逆動突起を押圧する第２押圧面を有し、前記第１装飾部材の前記作動突起を押圧する方向と逆方向に該作動部材を軸動させることによって、前記作動バネの付勢力及び前記ギア部により前記第１前方装飾部材及び第２前方装飾部材を前記出現位置から前記出現準備位置に移動させ、さらに該作動部材を該逆方向に軸動させることによって、前記第２押圧面により前記後方装飾部材の前記逆動突起を押圧して、第１前方装飾部材及び第２前方装飾部材並びに後方装飾部材を前記初期位置まで移動させる、ことを特徴とする遊技機。
この遊技機によれば、出現位置に移動した第１前方装飾部材及び第２前方装飾部材並びに後方装飾部材を初期位置に戻すことができる。
【０１３４】
［遊技機５］
上記遊技機２乃至４において、前記駆動部は、前記駆動手段の駆動力を出力する出力軸と、該出力軸に連結されるクランクと、一端側が該クランクに回動可能に連結され、他端側が前記作動部材に回動可能に連結される駆動力伝達アームと、前記後方装飾部材を前記初期位置から前記出現準備位置に軸動させるように付勢する補助バネと、を有し、前記初期位置において、前記出力軸と、前記クランク及び前記駆動力伝達アームの連結部と、該駆動力伝達アーム及び前記作動部材の連結部とを正面視略同一直線上に位置させて、前記補助バネの付勢力により前記後方装飾部材が軸動しないようにロックする第２のロック機構を有する、ことを特徴とする遊技機。
この遊技機によれば、補助バネを使用することにより、部材の移動による振動や衝撃を吸収して、部材のがたつきを早期に収めることができる。また、第２のロック機構により部材の移動による振動も早期に収め、初期位置での部材のぐらつきを防止することができる。
【０１３５】
以上のようにこれらの遊技機１〜５では、第１前方装飾部材及び第２前方装飾部材並びに後方装飾部材に複数の動作を行わせて派手な演出により遊技者の興趣を高めることができる。
【０１３６】
また、上記実施の形態とは異なるタイプの遊技機、具体的には遊技媒体として遊技球を用いる弾球式の遊技機いわゆるパチンコ機等に本発明を適応してもよい。例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として本発明を実施するようにしても良い。
さらに、弾球式でない遊技機、例えば、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機として本発明を実施するようにしても良い。具体的には以下の通りである。
【０１３７】
本発明は遊技機１〜５のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１３８】
本発明は上記遊技機１〜５のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１３９】
本発明は遊技機１〜５のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１４０】
本発明の遊技機は、主にスロットマシン、パチンコ機、パロット機の遊技機に利用することができるが、前方に一体として配設された２つの部材の間から後方にある部材を出現させるように動作をさせるこれ以外の様々な機器にも応用して利用することができる。
【符号の説明】
【０１４１】
１０…遊技機としてのスロットマシン、１５…補助表示部、１０００…可動役物装置、２００…駆動部、２１０…モータ部、２１１…モータ、２１１ａ…出力軸、２３０…駆動伝達部、２３１…クランク、２３３…駆動力伝達アーム、２４０…駆動検出部、２５０…補助バネ、３００…支持板、３０５…作動孔、３０７…上側ガイド孔、３０９…下側ガイド孔、４００…後方可動部、４１０…後方装飾部、４１２…逆転突起、４１７…上側ガイド突起、４１９…下側ガイド突起、４３０…回動支軸、５００…前方可動部、５１０…前方右装飾部、５２０…右役物部、５２１ｃ…正転突起、５４０…右ガイド部、５５０…前方左装飾部、５６０…左役物部、５８０…左ガイド部、６００…作動手段、６１０…作動部材、６１０ｄ…上辺、６１０ｅ…円弧状曲辺、６１１…軸孔、６１２…作動突起、６３０…作動バネ、５９０…ギア部、５９１…右ギア、５９２…左ギア、７００…カバー部、ｍ…右連結支持ピン、ｎ…左連結支持ピン、γ…縁壁部、δ…湾曲部、γ１…押圧面、γ２…係合面、Ｘ…ロック機構、Ｙ…ロック機構
【図１】
2015039517.tif 000003
【図２】
2015039517.tif 000004
【図３】
2015039517.tif 000005
【図４】
2015039517.tif 000006
【図５】
2015039517.tif 000007
【図６】
2015039517.tif 000008
【図７】
2015039517.tif 000009
【図８】
2015039517.tif 000010
【図９】
2015039517.tif 000011
【図１０】
2015039517.tif 000012
【図１１】
2015039517.tif 000013
【図１２】
2015039517.tif 000014
【図１３】
2015039517.tif 000015
【図１４】
2015039517.tif 000016
【図１５】
2015039517.tif 000017
【図１６】
2015039517.tif 000018
【図１７】
2015039517.tif 000019
【図１８】
2015039517.tif 000020
【図１９】
2015039517.tif 000021
【図２０】
2015039517.tif 000022
【図２１】
2015039517.tif 000023
【図２２】
2015039517.tif 000024
【図２３】
2015039517.tif 000025